(57)【要約】【課題】  ユーザ毎に装着可能な外部メモリを持ち、１つのカメラを複数のユーザで使用する場合に、他のユーザに自分の外部メモリの画像情報を見られたり、自分の外部メモリに他のユーザの画像情報が記憶されたりするのを防止する。【解決手段】  撮像素子で画像を撮影し、着脱可能なメモリに画像情報を記録することのできるカメラにおいて、メモリのユーザに関する情報を入力するユーザ情報入力手段と、ユーザ情報入力手段により入力されたユーザ情報をメモリに記憶する第１の制御手段と、ユーザ情報を表示する表示手段と、電源スイッチとを有し、電源スイッチのオンに応答してメモリに記憶されたユーザ情報を表示手段に表示する。【選択図】  図１
2005130272.tif 000002
【特許請求の範囲】
【請求項１】
撮像素子で画像を撮影し、着脱可能なメモリに画像情報を記録することのできるカメラにおいて、
前記メモリのユーザに関する情報を入力するユーザ情報入力手段と、
前記ユーザ情報入力手段により入力されたユーザ情報を前記メモリに記憶する第１の制御手段と、
前記ユーザ情報を表示する表示手段と、
電源スイッチとを有し、
電源スイッチのオンに応答して前記メモリに記憶された前記ユーザ情報を前記表示手段に表示することを特徴とするカメラ。
【請求項２】
パスワード設定手段と、
前記パスワード設定手段により入力されたパスワードを前記メモリに記憶する第２の制御手段と、
パスワード入力手段と、
前記パスワード入力手段により入力されたパスワードと前記メモリに記憶されたパスワードとを比較する第１の比較手段とを有し、
前記第１の比較手段による比較の結果、前記メモリに記憶されたパスワードとパスワード入力手段により入力されたパスワードが一致しない場合は撮影に関連する動作を禁止することを特徴とする請求項１に記載のカメラ。
【請求項３】
前記電源スイッチのオンに応答して前記ユーザ情報を表示する表示手段にパスワード入力要求指示表示が表示されることを特徴とする請求項２に記載のカメラ。
【請求項４】
前記記憶されたユーザ情報あるいはパスワードを変更するユーザ情報・パスワード変更手段を有することを特徴とする請求項２又は３に記載のカメラ。
【請求項５】
前記記憶されたユーザ情報あるいはパスワードを消去する消去手段を有することを特徴とする請求項２から４のいずれか１つに記載のカメラ。
【請求項６】
前記第１の比較手段による比較の結果、前記パスワード入力手段により入力されたパスワードが前記メモリのパスワードと一致した時、前記パスワード入力手段により入力されたパスワードを記憶する不揮発性メモリと、
前記不揮発性メモリに記憶されたパスワードと入力されたパスワードとを比較する第２の比較手段を有し、
前記２つのパスワードが一致した場合は撮影に関連する動作を許容することを特徴とする請求項２から５のいずれか１つに記載のカメラ。
【請求項７】
少なくともユーザ情報が記録された記録媒体が着脱可能に装着されるカメラであって、
特定の情報を表示する表示手段と、
該表示手段の駆動を制御する制御手段とを有し、
前記制御手段は、カメラ本体に装着された記録媒体から前記ユーザ情報を読み出し、このユーザ情報を前記表示手段で表示させることを特徴とするカメラ。
【請求項８】
前記ユーザ情報を入力するための入力手段を有し、
前記制御手段は、前記入力手段によって入力された前記ユーザ情報を、カメラ本体に装着された記録媒体に記録させることを特徴とする請求項７に記載のカメラ。
【発明の詳細な説明】
【技術分野】
【０００１】
本発明は外部メモリが着脱可能なカメラに関するものである。
【背景技術】
【０００２】
従来、一つのカメラを複数の人で用いる技術が開示されている（例えば、特許文献１参照）。特許文献１によれば、撮影者を特定するパスワード入力する手段と前記入力手段によりパスワードが入力された時、撮影された画像情報を記録媒体に記録する際にパスワードを付加して記録している。
【０００３】
この技術により、撮影時にパスワードを登録した撮影者のみが、パスワードを付加された画像の再生及び転送を行うことができた。また、前記公報には撮影者情報と関連つけてパスワードをカメラの画像記憶用メモリとは別の不揮発性メモリに登録する技術も開示されている。この技術においては画像記憶用メモリの容量が非常に大きく複数の撮影者で使っても問題が無いことを前提としている。
【０００４】
しかしながら、最近の撮像素子の画素数は飛躍的に増大しており、圧縮率の低い画像データを大量に保管するために大容量のメモリが必要となっている。前記公報にはユーザがそれぞれのメモリカードを所持すると無駄が多いと記されているが、現在では一つのカメラを複数の人で使用する場合、撮影者毎にその必要とするメモリ容量を有する着脱可能な画像記録用外部メモリを持つほうが合理的である。
【０００５】
また、カメラのパスワード設定部にパスワードを設定し入力されたパスワードが設定されたパスワードと一致したときのみカメラを動作状態にする技術が開示されている（例えば、特許文献２参照）。この技術はカメラそのものが他のユーザに使用されることを防ぐのが目的であり、本発明の目的である１つのカメラを複数の人で使用することとは異なる。また、本発明とは構成も異なる。
【特許文献１】特開２００２−２１８３８９号公報
【特許文献２】特開２００１−１６４９７号公報
【発明の開示】
【発明が解決しようとする課題】
【０００６】
特許文献１に記載の技術を着脱可能な画像記憶用外部メモリに適用すると、他のユーザが使用する時、誤って自分の所有する画像用外部メモリが装着されていた場合、自分の画像記憶用外部メモリ内に他のユーザのパスワードが付された画像を記憶されてしまう欠点が生じてしまう。この結果、自分の画像記録用外部メモリにもかかわらず該メモリの一部または全部を他のユーザに占有されてしまう欠点があった。
【０００７】
また、特許文献１に記載の技術では装着された外部メモリのユーザ情報が分からず、外部メモリを交換する必要があるかどうかが分からない欠点もあった。
【０００８】
本発明の目的は、上記の欠点を取り除いたカメラを提供することにある。
【課題を解決するための手段】
【０００９】
上記目的を達成するために、請求項１の発明は、撮像素子で画像を撮影し、着脱可能なメモリに画像情報を記録することのできるカメラにおいて、メモリのユーザに関する情報を入力するユーザ情報入力手段と、ユーザ情報入力手段により入力されたユーザ情報を前記メモリに記憶する第１の制御手段と、ユーザ情報を表示する表示手段と、電源スイッチとを有し、電源スイッチのオンに応答してメモリに記憶されたユーザ情報を表示手段に表示することを特徴とする。
【００１０】
請求項２の発明は、パスワード設定手段と、前記パスワード設定手段により入力されたパスワードを前記メモリに記憶する第２の制御手段と、パスワード入力手段と、前記パスワード入力手段により入力されたパスワードと前記メモリに記憶されたパスワードとを比較する第１の比較手段とを有し、前記第１の比較手段による比較の結果、前記メモリに記憶されたパスワードとパスワード入力手段により入力されたパスワードが一致しない場合は撮影に関連する動作を禁止することを特徴とする。
【００１１】
請求項３の発明は、前記ユーザ情報を表示する表示手段に電源スイッチのオンに応答してパスワード入力要求指示表示が表示されることを特徴とする。
【００１２】
請求項４の発明は、前記記憶されたユーザ情報あるいはパスワードを変更するユーザ情報・パスワード変更手段を有することを特徴とする。
【００１３】
請求項５の発明は、前記記憶されたユーザ情報あるいはパスワードを消去する消去手段を有することを特徴とする。
【００１４】
請求項６の発明は、前記第１の比較手段による比較の結果、前記パスワード入力手段により入力されたパスワードが前記メモリのパスワードと一致した時、前記パスワード入力手段により入力されたパスワードを記憶するカメラ内の不揮発性メモリと、前記不揮発性メモリに記憶されたパスワードと入力されたパスワードとを比較する第２の比較手段を有し、前記２つのパスワードが一致した場合は撮影に関連する動作を許容することを特徴とする。
【００１５】
請求項７の発明は、少なくともユーザ情報が記録された記録媒体が着脱可能に装着されるカメラであって、特定の情報を表示する表示手段と、表示手段の駆動を制御する制御手段とを有し、制御手段は、カメラ本体に装着された記録媒体から前記ユーザ情報を読み出し、このユーザ情報を前記表示手段で表示させることを特徴とする。
【００１６】
請求項８の発明は、ユーザ情報を入力するための入力手段を有し、制御手段は、入力手段によって入力された前記ユーザ情報を、カメラ本体に装着された記録媒体に記録させる。
【発明の効果】
【００１７】
請求項１に記載の発明によれば、電源スイッチのオンに応答して、外部メモリのユーザ情報を表示手段に表示するので、ユーザはユーザ情報を容易に確認できる。例えば、表示を見て他のユーザの外部メモリが挿入されていた場合、自分のメモリに交換しなければならないことが容易に認識できる。
【００１８】
請求項２に記載の発明によれば、外部メモリにパスワードが設定することができ、前記パスワードを正しく入力しない限り撮影に関連する動作を行うことができないので、他の人に無断で前記外部メモリを使用されることがない。
【００１９】
請求項３に記載の発明によれば、電源スイッチのオンに応答してパスワード入力指示表示が表示されるので、他の専用の操作スイッチを不要にできる。
【００２０】
請求項４に記載の発明によれば、電子カメラは外部メモリに記憶されたユーザ情報あるいはパスワードを変更するユーザ情報・パスワード変更手段を有しているので容易にパスワードの変更が可能である。
【００２１】
請求項５に記載の発明によれば、電子カメラは外部メモリに記憶されたユーザ情報あるいはパスワードを消去する消去手段を有しているので、前記記憶されたパスワードを消去することができるので他の人が外部メモリを使用したい時に対応が可能である。また、他の人に外部メモリに記憶された画像ファイルを閲覧させることもできる。
【００２２】
請求項６に記載の発明によれば、電源をオンして、パスワードを入力し撮影・再生可能状態になった後、外部メモリを外さないまま電源をオフし再度電源スイッチをオンすると撮影に関連した動作を直ちに行うことができるので、再度パスワードを入力しなければならない煩わしさがない。
【発明を実施するための最良の形態】
【００２３】
以下、本発明の実施例について説明する。
【実施例１】
【００２４】
本発明の実施例を図１に示す。図１はカメラの回路ブロック図を示している。
【００２５】
図１において、点線で囲まれた部分は電子カメラ本体である。１は公知の撮影レンズである。２は公知の絞り、シャッタ手段である。３はＣＣＤ等により構成される撮像素子であり、撮影時撮影レンズ１及び絞り、シャッタ手段を介して被写体像が撮像面に結像される。
【００２６】
４は画像処理部であり、システム制御部１０からの指示により前記撮像素子３からの被写体像に対応した信号を処理し、処理した信号を後述のバッファメモリ５に送る。５はバッファメモリであり前記画像処理部４で処理した信号を後述のシステム制御部１０からの指示により一時的に記憶し、前記システム制御部１０の指示により信号として後述のメモリ制御部６に出力する。
【００２７】
６はメモリ制御部でバッファメモリ５からの信号を圧縮し後述の外部メモリ８に出力すると共に前記圧縮された内容を外部メモリ８に記憶させる。また、前記メモリ制御部６はシステム制御部１０からの指示により外部メモリ８に記憶された画像情報を読出し、後述の表示部１４に画像を表示することもできる。更にメモリ制御部６は後述の入力部１５で入力されたユーザ情報及びパスワードをシステム制御部１０の指示により外部メモリ８に記憶させること及び前記システム制御１０の指示によりユーザ情報及びパスワードを読み出すことができる。
【００２８】
７は前記外部メモリ８との接続部である。８はフラッシュメモリ等の書き換ええ可能な外部メモリ（本実施例ではカード状のメモリを使用）である。９は不図示の測光手段の出力に応じてシステム制御部１０より制御される絞り、シャッタ制御部である。１０はシステムを制御するシステム制御部である。また、前記システム制御部１０は後述の比較手段及び書き換え可能な不揮発性メモリも有している。
【００２９】
１１は外部信号出力部であり外部メモリ８の画像データを後述の端子１２を介して不図示のパソコン等に出力することができる。１２は接続端子である。１３は操作部であり複数のスイッチより構成されている。少なくとも、電源スイッチ、レリーズスイッチ、各種撮影モード切換えスイッチ等を含んでいる。
【００３０】
１４はＴＦＴ等で構成される表示部であり、ユーザ情報及びパスワードに関連する表示内容を表示することができる。さらに、カメラが再生可能状態にある時は撮影済みの外部メモリ８に書き込まれた画像情報に基づく画像を表示することができる。また、操作部１３により設定された撮影モード等の表示することができる。１５は入力部で、ユーザ情報の設定及び入力等を行う為の公知の文字情報の入力部であり、複数のスイッチより構成されている。１６はカメラの内蔵されたストロボであり、不図示のメインコンデンサの充電制御あるいは発光の制御等をシステム制御部１０の指示により行う。
【００３１】
次にカメラのフローチャート図２及び図３を用いて、外部メモリ８のユーザ名及びパスワードの設定及び入力に関するカメラの動作の説明する。
【００３２】
ステップ１０１：不図示の電源電池を挿入する。
【００３３】
ステップ１０２：操作部１３の不図示の電源スイッチがオンになっているかを判断する。
オンの時はステップ１０３に進み、オフの時はステップ１０２に戻る。
【００３４】
ステップ１０３：外部メモリ８に既にユーザ名とパスワードが登録（記憶）されているかを判断する。登録されている時はステップ１０４に進み、登録されていない時はステップ１１３に進む。
【００３５】
ステップ１０４：表示部１４に図３−１に示すようなメッセージが表示される。メモリユーザ名はこの場合、山田太郎である。表示部１４にはパスワードの入力を促すメッセージが表示される。
【００３６】
ステップ１０５：入力部１５によりパスワードを入力する。既に外部メモリ８に記憶されている６桁のアルファベットあるいは数字を入力する。入力するごとに図３−１に示す６個の四角の中に＊が順に表示される。
【００３７】
ステップ１０６：入力されたパスワードと外部メモリ８に記憶されているパスワードを比較し正しいかどうかをシステム制御部１０で判断する。パスワードが正しかった場合はステップ１０７に進む。正しくなかった場合はステップ１０８に進む。
【００３８】
ステップ１０７：表示部１４の表示が変わり、撮影あるいは外部メモリ８に保存されている画像ファイルの再生が可能なモードとなる。また、接続端子１２を介してパソコン等にメモリ８に保存されている画像ファイルの転送も可能となる。従ってこの状態でカメラの撮影等を行うことができる。
【００３９】
例えば、撮影モードを設定した場合は、不図示のレリーズスイッチのオンにより前記測光手段の測光結果に基づき絞り、シャッタ２が絞り、シャッタ手段制御部９により駆動され撮影レンズ１を介して撮像素子３を露光する。前記撮像素子３からの信号を画像処理部４で処理しバッファメモリ４に記憶され、メモリ制御部６により前記バッファメモリ４からの画像信号を圧縮し外部メモリ８に記憶する。外光輝度が所定値以下の場合はストロボ１６を自動的に使用する機能も備えおり、ストロボ撮影も行うことができる。以上の動作はシステム制御部１０の指示で行われる。
【００４０】
再生モードを設定した場合は、操作部１３により指定された外部メモリ８に記憶されている画像ファイルをメモリ制御部６により読出し、表示部１４に画像を表示する。以上の動作もシステム制御部１０の指示で行われる。
【００４１】
この状態は一般の電子カメラの電源オン状態と同じである。
【００４２】
この状態で前記電源スイッチを切った場合は上記モードが終了しステップ１０１のスタート状態に戻る。
【００４３】
ステップ１０８：パスワードの再入力を促す表示図３−２が表示部１４に表示される。
【００４４】
ステップ１０９：入力部１５によりパスワードを再入力する。
【００４５】
ステップ１１０：入力されたパスワードと外部メモリ８に記憶されているパスワードを比較し正しいかどうかをシステム制御部１０で判断する。パスワードが正しかった場合はステップ１０７に進む。正しくなかった場合はステップ１１１に進む。
【００４６】
ステップ１１１：表示部１４に“パスワードは正しくありませんでしたので終了します”との警告メッセージを所定時間表示し、その後消す。
【００４７】
ステップ１１２：ステップ１０１のスタートに戻る。
【００４８】
ステップ１１３：図３−３の表示内容が表示部１４に表示される。この表示はユーザ名及びパスワードを設定するかそれとも設定しないかをユーザに入力してもらうための表示である。
【００４９】
ステップ１１４：入力部１５により外部メモリ８にユーザ名及びパスワードを設定する時は入力部１５によりｙを入力し、設定しない場合はｎを入力する。入力後、表示の四角い枠内に入力した文字を所定時間表示する。
【００５０】
ステップ１１５：ユーザによりステップ１１４で入力された状態を判断し、ユーザ名・パスワード設定モードの時はステップ１１６に進み、ユーザ名及びパスワードを設定しないモードの時はステップ１０７に進む。
【００５１】
ステップ１１６：図３−４に示す表示が表示部１４に表示される。この表示は外部メモリ８のユーザ名及びパスワードの設定を促す表示である。
【００５２】
ステップ１１７：入力部１５により外部メモリ８のユーザ名を入力する。図３−４に示す表示の四角い枠内にユーザ名が表示される。
【００５３】
ステップ１１８：メモリ制御部６によりユーザ名を外部メモリ８に記憶する。
【００５４】
ステップ１１９：入力部１５によりパスワードを入力する。図３−４に示す表示の６個の四角の枠内にパスワードが所定時間表示される。
【００５５】
ステップ１２０： メモリ制御部６によりパスワードを外部メモリ８に記憶する。
【００５６】
次にカメラのフローチャート図４及び図５を用いて、外部メモリ８のユーザ名及びパスワードの変更及び消去に関するカメラの動作の説明する。
【００５７】
ステップ２０１：カメラは前記フローチャート図２のステップ１０７（後述フローチャート図６に示す他の実施例の場合はフローチャート図６のステップ３０９）の状態になっている。
【００５８】
ステップ２０２：操作部１３に設けられた不図示のユーザ名・パスワード変更スイッチがオンであるかを判別する。オンであればステップ２０３に進み、オフであればステップ２０２に戻る。
【００５９】
ステップ２０３：図５−１に示す前記ユーザ名及びパスワード変更あるいは消去の決定を促す表示が表示部１４に表示される。
【００６０】
ステップ２０４：入力部１５により０あるいは１を入力する。入力した数字を所定時間表示する。
【００６１】
ステップ２０５：ステップ２０４で入力された結果により、ユーザ名・パスワード変更モードであるかを判断する。変更モードの時はステップ２０６に進み、変更モードでない時は消去モードとなりステップ２１２に進む。
【００６２】
ステップ２０６：図５−２に示すようなメモリユーザ名及びパスワードの入力を促す表示を表示部１４に表示する。
【００６３】
ステップ２０７：入力部１５により新しいユーザ名を入力する。表示部１４に新しいユーザ名が表示される。
【００６４】
ステップ２０８：システム制御部１０の指示によりメモリ制御手段６にて外部メモリ８の古いユーザ名を消去し、新しいユーザ名を外部メモリ８に記憶する。
【００６５】
ステップ２０９：入力部１５により新しいパスワードを入力する。図５−２に示す表示の６個の四角の枠内に入力されたパスワードを所定時間表示する。
【００６６】
ステップ２１０：システム制御部１０の指示によりメモリ制御手段６にて外部メモリ８の古いパスワードを消去し、新しいパスワードを外部メモリ８に記憶する。
【００６７】
ステップ２１１：ステップ２０１にもどる。
【００６８】
ステップ２１２：システム制御部１０の指示によりメモリ制御手段６にて外部メモリ８に記憶されているユーザ名及びパスワードを消去する。
【００６９】
次にフローチャート図２の他の変形例をフローチャート図６に従って説明する。
【００７０】
このフローチャート図２に示す実施例１は電源スイッチをオンして、パスワードを入力し撮影・再生可能状態になった後外部メモリを外さないまま電源スイッチをオフし再度電源スイッチをオンすると再度パスワードを入力しなければならない煩わしさがある。本変形例のフローチャート図６はこの煩わしさを解決するのが目的である。
【００７１】
ステップ３０１：不図示の電源電池を挿入する。
【００７２】
ステップ３０２：操作部１３の不図示の電源スイッチがオンになっているかを判断する。
オンの時はステップ３０３に進み、オフの時はステップ３０２に戻る。
【００７３】
ステップ３０３：外部メモリ８に既にユーザ名とパスワードが登録（記憶）されているかを判断する。登録されている時はステップ３０４に進み、登録されていない時はステップ３１５に進む。
【００７４】
ステップ３０４：システム制御部１０内の不図示の不揮発性メモリに記憶されたパスワードと外部メモリのパスワードとが同じかどうかを比較しシステム制御部で判断する。同じ時即ち前回の電源オンから外部メモリ８が変更されていない場合はステップ３０９に進み、異なる時即ち外部メモリ８が変更されていた場合はステップ３０５に進む。
【００７５】
ステップ３０５：表示部１４に図３−１に示すようなメッセージが表示される。メモリユーザ名はこの場合、山田太郎である。表示部１４にはパスワードの入力を促すメッセージが表示される。
【００７６】
ステップ３０６：入力部１５によりパスワードを入力する。既に外部メモリ８に設定されている６桁のアルファベットあるいは数字を入力する。入力するごとに図３−１に示す６個の四角の中に＊が順に表示される。
【００７７】
ステップ３０７：入力されたパスワードと外部メモリ８に記憶されているパスワードを比較し正しいかどうかをシステム制御部１０で判断する。パスワードが正しかった場合はステップ３０８に進む。正しくなかった場合はステップ３１０に進む。
【００７８】
ステップ３０８：パスワードをシステム制御部１０内の不揮発性メモリに記憶する。
【００７９】
ステップ３０９：表示部１４の表示が変わり、撮影あるいは外部メモリ８に保存されている画像ファイルの再生が可能なモードとなる。また、接続端子１２を介してパソコン等にメモリ８に保存されている画像ファイルの転送も可能となる。従って、この状態でカメラの撮影等を行う。即ちフローチャート図２のステップ１０７の状態と同じになるので説明は省略する。
【００８０】
この状態で電源スイッチを切った場合は上記モードが終了しステップ３０１のスタート状態に戻る。
【００８１】
ステップ３１０：パスワードの再入力を促す表示図３−２が表示部１４に表示される。
【００８２】
ステップ３１１：入力部１５によりパスワードを再入力する。
【００８３】
ステップ３１２：入力されたパスワードと外部メモリ８に記憶されているパスワードを比較し正しいかどうかをシステム制御部１０で判断する。パスワードが正しかった場合はステップ３０８に進む。正しくなかった場合はステップ３１３に進む。
【００８４】
ステップ３１３：表示部１４に“パスワードは正しくありませんでしたので終了します”との警告メッセージが所定時間表示し、その後消す。
【００８５】
ステップ３１４：ステップ３０１のスタートに戻る。
【００８６】
ステップ３１５：図３−３の表示内容が表示部１４に表示される。この表示はユーザ名及びパスワードを設定するかそれとも設定しないかをユーザに入力してもらうための表示である。
【００８７】
ステップ３１６：入力部１５により外部メモリ８にユーザ名及びパスワードを設定する時はｙを入力し、設定しない場合はｎを入力する。入力すると、表示の四角い枠内に入力した文字を所定時間表示する。
【００８８】
ステップ３１７：ユーザによりステップ３１６で入力された状態を判断し、ユーザ名・パスワード設定モードの時はステップ３１８に進み、ユーザ名、パスワードを設定しないモードの時はステップ３０９に進む。
【００８９】
ステップ３１８：図３−４に示す表示が表示部１４に表示される。この表示は外部メモリ８のユーザ名及びパスワードの設定を促す表示である。
【００９０】
ステップ３１９：入力部１５により外部メモリ８のユーザ名を入力する。図３−４に示す表示の四角い枠内にユーザ名が表示される。
【００９１】
ステップ３２０：メモリ制御部６によりユーザ名を外部メモリ８に記憶する。
【００９２】
ステップ３２１：入力部１５によりパスワードを入力する。図３−４に示す表示の６個の四角の枠内にパスワードが所定時間表示される。
【００９３】
ステップ３２２：メモリ制御部６により パスワードを外部メモリ８に記憶する。
以上が変形例の動作である。
【００９４】
上記変形例では、パスワードを入力するのに応じて外部メモリ８に記憶されているパスワードの内容と同じ内容をシステム制御部内の不揮発性メモリにも記憶しておき、再度電源スイッチを入れた時外部メモリ８内のパスワードと不揮発性メモリ内のパスワードが一致した時はパスワード入力なしに撮影・再生可能モードに移行できるようにしたものである。
【００９５】
なお、以上の説明において請求項に記されているユーザ情報入力手段は入力部１５であり、第１の制御手段はメモリ制御部６であり、表示手段は表示部１４であり、パスワード設定手段は入力部１５であり、第２の制御手段はメモリ制御部６であり、第１及び第２の比較手段はシステム制御部１０であり、変更手段はシステム制御部１０及びメモリ制御部６であり、消去手段はシステム制御部１０及びメモリ制御部６である。
【００９６】
また、本実施例ではユーザ情報としてユーザ名を用いたが、一人のユーザが複数の外部メモリを有する場合は、撮影目的別にユーザ情報を設定できるようにしても良い。この場合、パスワードは同一にしたほうが好ましい。
【図面の簡単な説明】
【００９７】
【図１】本発明の実施例１におけるカメラのブロック図である。
【図２】実施例１のカメラのフローチャートである。
【図３】表示部１４の表示内容である。
【図４】カメラのフローチャートである。
【図５】表示部１４の表示内容である。
【図６】カメラのフローチャートの他の実施例である。
【符号の説明】
【００９８】
３    撮像素子
４    画像処理部
５    バッファメモリ
６    メモリ制御部
８    外部メモリ
１０  システム制御部
１３  操作部
１４  表示部
１５  入力部
【図１】
2005130272.tif 000003
【図２】
2005130272.tif 000004
【図３】
2005130272.tif 000005
【図４】
2005130272.tif 000006
【図５】
2005130272.tif 000007
【図６】
2005130272.tif 000008